(57)【特許請求の範囲】
【請求項１】
第１本体と第２本体とを備え、
前記第１本体は、非磁性の円筒形状の、真鍮がメッキされている外部ハウジングからなり、
前記第１本体は、３つの主要区域からなり、
第１の主要区域は、前記第１本体の一部であり、ノズルを有し、流入口として使用され、
第２の主要区域は、前記第１本体の一部であり、ノズルを有し、流出口として使用され、
前記第１本体の前記第１の主要区域と前記第２の主要区域とは、漏出を防ぐためのＯリングを介して、互いにネジ式に接続されており、
前記第１の主要区域の内部は、第３の主要区域となる、前記第２本体のための円筒状の内部ハウジングを形成しており、
前記第１の主要区域において、前記内部ハウジングの閉じた側面は、前記流入ノズルへの開口部を有し、流入口として用いられ、
前記第２の主要区域において、前記内部ハウジングの閉じた側面は、前記流出ノズルへの開口部を有し、流出口として用いられ、
前記第２本体は、直線状の円筒状の磁石本体からなり、前記内部ハウジングに収まるようになっており、
前記磁石本体は、単一線状に配置された、長軸方向に同一の幅を持つ複数の磁石の組立体としての構造を有し、
前記組立体は、座繰り孔を有する１３個のＮ５２級強ネオジム円形リング希土類磁石と、１２個の非磁性のＰＶＣの薄い円形リングのスペーサとからなり、
前記磁石のそれぞれは、当該磁石を貫く円形の座繰り孔を有しており、
前記座繰り孔のＳ極面における開口は、Ｎ極面における開口よりも大きく、
各座繰り孔は、各磁石の中心に設けられ、並んで間隔を空けて配置されていることを特徴とする装置。
【請求項２】
前記スペーサは、それぞれ中心に円形の開口を有していることを特徴とする請求項１に記載の装置。
【請求項３】
請求項１又は２に記載の装置において、
前記組立体における前記磁石の数が調整可能であり、
特定の炭化水素化合物の流体および水素化合物の流体の前記流入口から前記流出口への流れのための環状の隘路を提供することを特徴とする装置。
【請求項４】
当該装置は、流体の処理方法に用いられることを特徴とする請求項１から３までの何れか１項に記載の装置。
【請求項５】
前記水素化合物は水であり、前記炭化水素化合物は燃料であることを特徴とする請求項３又は４に記載の装置。
【請求項６】
前記燃料は、ガソリン又はディーゼル燃料であり、前記座繰り孔の前記開口にて、磁化した液体を巡らせることを特徴とする請求項５に記載の装置。
【発明の詳細な説明】
【技術分野】
【０００１】
本発明は、水素から構成されている水のような液体の物質及び気体の物質、並びに、炭化水素から構成されている液体の物質及び気体の物質の処理のための、改良された方法及び次世代の単純化された装置に関し、当該処理は、当該物質の、混入物を除去するためであり、より詳細には、ガソリン、ガソホール、ディーゼル燃料、灯油、プロパン、天然ガス、油等のような液体の炭化水素燃料及び気体の炭化水素燃料に対し、当該方法及び装置における燃焼効率を向上させるためである。
【背景技術】
【０００２】
世界的規模に達しているエネルギー不足とともに、特に、石油ベースの燃料について、そのような燃料を効率的に燃焼する必要性は、この上なく重要となっている。自動車は、おそらく、現在では最も多く石油を消費するものであるため、もし燃焼処理がより効率的であるならば、それによって、所定の量の燃料でより長い走行距離にすることができ、かなりの量のガソリン及びディーゼル燃料の節約を実現することができる。さらに、自動車及びトラックの広範な利用により、近年、大気汚染が急激に増加しており、非常に低レベルの汚染物質を排出する車のエンジンを製造するように、政府から産業界に非常に大きな圧力がかけられている。
【０００３】
燃料効率及びガス効率並びに汚染の減少は、車に関してだけでなく、石油、天然ガス及びプロパンのような炭化水素燃料を燃焼する、発熱及び発電プラントに関しても重要である。
【０００４】
内燃機関エンジンのためのほとんどの燃料は、液体及び気体であり、燃料は、それらが気化され、大気と混合されるまで、燃焼しない。ほとんどの車の排出物は、未燃炭化水素、一酸化炭素及び窒素酸化物からなる。未燃炭化水素及び窒素酸化物は、大気中で反応し、スモッグを生成する。スモッグは、目及び喉の炎症、不快なにおい、地面のダメージ及び可視範囲の減少の主因である。窒素酸化物もまた有毒である。
【０００５】
エンジン、炉、発電装置等からの大気汚染を減らすために、かなりの努力がされているが、燃料及びガスをより効率的に燃焼するための技術を考案するよりもむしろ、排気ガス及び煙突の排出物の処理に重点が置かれており、それによって、本質的により少ない廃棄物の排出を結果的にもたらす。より効率的な燃焼の有益な結果は、より少ない炭化水素の廃棄物が排気ガス中に排出されるように、燃料がより完全に燃焼されることである。
【０００６】
もちろん、内燃機関エンジンの利用は、自動車の分野に限定されない。ディーゼルエンジンは、例えば、世界の多くの列車に動力を供給する。タービンエンジンは、世界の大多数の民間航空機、及び、世界の非常に多くの発電所に動力を供給する。
【０００７】
磁気処理が、流体における変化を引き起こす正確な化学的及び原子力的な仕組みは完全には理解されていないが、流体を処理するための周知の磁気調整装置によってもたらされる変化は、測定可能且つ再現可能である。ファンデルワールスによって提唱されている電子論等、イオン化する流体における磁気装置の有効性に関するいくつかの理論的基盤もある。この理論によれば、水素を含んでいる化合物の、電子と原子核との間の結合力が、磁場によって影響され得る。
【０００８】
流体調整装置は、燃料経済性の増進を提供するために、磁石又は触媒、及び、これらのうちのいくつかの使用を通じて、化石燃料燃焼装置の性能において適度な向上を示しているように見えると、従来から示唆されている。しかしながら、これらの装置は、多数の部品を伴い、サイズが分厚く、コストが高く、燃焼装置の経済性においてほとんど際立った向上を示していない。それ故に、燃料装置の全寿命に渡って、信頼性を有し、低コストでありながら、化石燃料の燃焼効率を劇的に向上すること、及び、そのような燃焼から汚染物質の排出を著しく減らすことができる、単純で可動部のない燃料節約装置に対する極度の要求がある。
【０００９】
より効率的な燃焼、より優れた効率及び削減された排出を促進するための燃料の処理に関して提案されている多数の磁気装置がある。例えば、そのような装置は、Ｍｉｌｌｅｒによる米国特許第３，８３０，６２１号、Ｆｕｊｉｔａによる米国特許第４，１８８，２９６号、Ｓａｋａｔａによる米国特許第４，５６９，７３７号及びＰｅｒａによる米国特許第４，７１６，０２４号に開示されている。燃料の磁気処理に関する別の装置は、公開されているＡｋａｉの日本国特許出願第５７／１２２２１６号、Ｈｏｒｉの第５８／７１９９３号、及びＫａｔａｙａｍａの第５８／２２５１８９号に開示されている。同様の磁気装置は、Ｚｉｍｍｅｒｍａｎによる米国特許第４，２６５，７４６号〜第４，２６５，７４７号等、Ｍｅｎｏｌｄによる米国特許第４，２６５，７５４号、及び、Ｚｉｍｍｅｒｍａｎによる米国特許第４，２６５，７５５号に開示されているが、水の処理に向いている。
【００１０】
そのような磁気処理装置のうちの１つは、米国特許証第３，９５１，８０７号、第４，０５０，４２６号、及び第４，１５３，５５９号に開示されている。基本的に、そのような装置は、非磁性の被覆物で覆われ、鉄等の磁性材料の状態を和らげる、亜鉛メッキされている鉄又は黒鉄内に同軸に位置付けられており、長軸方向に隙間を空けられている多数の磁極を有する細長い磁石を備えている。被覆されている磁石は、そこに取り付けられる１対の段のある環によって中心揃えされていてもよく、次々に、１対の層状の挿入物によって中心揃えされる。代わりに、被覆されている磁石は、磁石に対する被覆物と亜鉛メッキされている外筒との間にメッキされている、弾力性があり、傾斜をつけられているスリーブによって中心揃えされてもよい。
【００１１】
一般的に、このタイプの磁気処理装置はよく知られており、吹き落とし又は洗浄によってシステムから容易に取り除くことができる粘着性のない懸濁液を作る代わりに、硬水中に存在するカルシウム及び別の無機物を生じることによって、腐食及び大きさの増大を防いでいる。多くの応用においては、炉の加湿装置等は、例えば、装置が、かなり小さいハウジング内に含まれていることが重要であり、このため、利用可能な空間は大いに需要がある。さらに、水が処理される有効性は、処理チャンバー内の磁場の強さ、及び、チャンバーそのものの有効長に依存している。したがって、チャンバーは、別の方法で利用可能な処理空間を占有し得る障害物が少しもなく、水は、それが装置に入った後、できるだけ短時間で且つ短い距離で、処理チャンバー内に導かれ、処理チャンバーを完全に占有することが望ましい。
【００１２】
特許第Ｆ０２Ｍ２７／０４号の発明は、最良の燃焼条件を確保するための、エンジンの機構、特に、例えば、内燃機関エンジン、ボイラー、及び、別の発電所における炉において、燃焼の前に燃料を処理する手段に関する。
【００１３】
特定の物理条件、例えば、静電場、電磁場又は永久磁場にさらすことは、エンジンのより優れた燃焼効率を促進し、排気物質を削減することが知られている。したがって、ファン及び燃料に関する特許、［特許ＲＵ  Ｎ  ２１４６０１５、Ｆ０２Ｍ２７／０４、１９９８］においては、永久磁石の磁化によって生成され、各々の磁石の中心部分が周辺よりも１．５〜２．２倍多くの回数、巻かれており、一様でなく磁化し、巻きついているそれらを混ぜることで広げられている不均質な磁場の空間的な勾配の組み合わせの効果は、直列に巻くことと、磁化されているパルスとを結びつける。
【００１４】
組み合わせに対する、より積極的な影響を確保するために、エンジンがアイドリングしているとき、磁場は、受け止める一次チャンバー及び分布多岐管において、それが１．２倍以上互いに最高の磁場の強さを超えるように集中している。磁石の特性及びパラメータの、この統計的選択に影響を及ぼす。
【００１５】
この方法の欠点は、その複雑さ及び低い信頼性である。
【００１６】
［特許ＲＵ  Ｎ  ２１２１５９５、Ｆ０２Ｎ２７／０４、１９９７］の燃料及び潤滑油を変化させる周知の方法は、燃料及び潤滑油への交流磁場の影響を含んでおり、当該交流磁場の周波数は、処理の最初から最後まで連続的に増加する。
【００１７】
この方法の欠点は、燃料ライン上の装置の製造及び設置の複雑さにある。
【００１８】
最も類似している周知の方法は、［特許ＲＵ  Ｎ  ２４０８７９２、Ｆ０２Ｍ２７／０４、２００９］の液体の炭化水素燃料及び気体の炭化水素燃料の磁場を処理する方法であり、燃料がＮｄ−Ｆｅ−Ｂの永久磁石と磁気システムとの少なくとも２つのグループで定められ、燃料パイプを介して燃料に連続的に向いており、ここで、磁気システムは、２番目及びそれ以降の磁石のグループの後で、炭化水素燃料の経済性の増進をさらに確かなものにするために、互いから１００〜３０００ｍｍの距離に取り付けられているという事実からなる。永久磁石は分光を操作している。システムにおける磁場は、あらかじめ設置されているものの上の付加的な磁石の組の設置によって制御されている。
【００１９】
この方法は、あるサイズから別の燃料システムへの移行中にさらなる類似性の基準を必要としている磁場の空間的な不均質性のために、燃料経済性において、磁場の低い再現性を有している。
【００２０】
ガソリンエンジンに関する磁気燃料処理のための装置は、［特許ＲＵ  Ｎ  ２１６８０５２、Ｆ０２Ｍ２７／０４、Ｆ０２Ｂ５１／０４２、１９９８］の多数の非磁性材料、流路、永久磁石、及び、磁石を備えている。ハウジングは、包装材料のハウジングプレートの端部に２つのＣ型の取り付け用金具として形成される、ヨークプレートにより形成されている。
【００２１】
互いに相対的な間隔を有し、ハウジングに挿入されている永久磁石の２組は、好ましくは長方形の形状であり、磁石の各々の組は、流路、気化器の散布器の各々の流出口に配置されている。経路の直径は、板に固定されている磁石の各々の長さを超えず、板の厚さは、その長さのおよそ１０分の１である。
【００２２】
この装置の欠点は、燃焼チャンバー内に入ってくる燃料の上の磁石の効果が低い効率であることである。
【００２３】
［特許ＲＵ  Ｎ  ２３２４８３８、Ｆ０２Ｍ２７／０４、２００６］の周知の磁気活性体の燃料の流れは、誘電体、及び永久磁石を備えており、ハウジングが、互いに向き合う磁極のように、軸方向に磁性を有し、２つの環状の永久磁石内に挿入されている誘電体円筒と、それらの総厚みと同程度である、それらの間の加工間隙とにより形成されており、ここで、活性体は、内部の中空の円筒及び外部の中空の円筒からなる、２つの成形された金具を備えており、外部円筒の外径は燃料ホースのノズルの内径と同程度で、ノズルの内部の直径は円筒体の活性体の開口の直径と同程度であり、当該円筒体の誘導体の両端は円筒型のハウジング内にぴったりと挿入されており、雄ネジを有する活性体の外殻が両側に形成されており、本体のネジ部の外径と同程度であるネジの内径、及び、金具の外側の部分と同程度である直径を有する中心孔を有する２つのクランプカラーの軸受筒がさらに備えられていることを特徴とする。
【００２４】
この周知の装置の欠点は、２つの環状の永久磁石間の間隙において、それらが互いに向き合う磁極を好むという事実のために、弱く極めて不均一な磁場を含んでいることである。
【００２５】
最も類似している先行技術の装置としては、［特許ＲＵ  Ｎ  ２３２４８３８、Ｆ０２Ｍ２７／０４、２００６］の燃料の磁気活性体であり、当該燃料の磁気活性体は、燃料ライン上に取り付けられており、その中に配置されているＮｄ−Ｆｅ−Ｂの永久磁石を有する本体を含んでいる。活性体は、燃料ラインにおける燃料の移動に沿って連続的に取り付けられている少なくとも２つの磁石とともに備えられている。磁石の間には、非磁性材料でできている少なくとも１つの距離間隔調整装置が取り付けられている。磁石は、輪又は半輪のように形成されてもよい。少なくとも１つの環状の磁石が装置本体に取り付けられており、当該装置本体は、ハウジングの長軸方向に対して１０〜９０度の角度で傾斜している。磁石は、板状又は円板状として形成されていてもよく、ハウジング内に、ハウジングの長軸方向の対辺に千鳥状に取り付けられている。
【００２６】
この周知の装置の欠点は、磁石がハウジングの中であって、ハウジングの長軸方向の対辺上に千鳥状に取り付けられ、さらに、いくつかの磁石が、１０〜９０度の角度でハウジングの長軸方向に斜めに配置されるという事実による磁場の不均質性に起因する、燃料に作用する磁気磁場の形状の低い再現性、変化する装置のサイズである。
【００２７】
Ｓｈａｌｈｏｏｂによって特許を取得された装置は、磁場の同心配置を含んでおり、当該磁場は、水流の断面積を減らし、それに伴い、磁極における流量を加速することにより、永久磁石の極における水の流速を増加する。鉄棒及び座金が、極における磁束を集中するために含まれている。引用されている複数の参照文献が、高い束密度に対して最大限、流体をさらすことを達成することの重要性の認識を示しているにもかかわらず、どれも、非常に集中された場に繰り返しさらすことの空間的分布の重要性には触れていない。ここでは、交流場に繰り返しさらす時間及び流体速度の関数としての空間切断速度を変えることによって、性能を向上させることができることが発見されている。
【００２８】
上述の特許に開示されている装置及び公開されている出願は、それらの意図された利用に対する種々の程度の有効性を有しているが、そこに開示されている装置及びシステムは、製造及び利用に対し、過度に複雑でコストがかかる。構成及び利用においてより単純で、より効率である、磁気によって燃料を処理するための装置に対する要求がある。
【００２９】
したがって、本発明の１つの目的は、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料を、それらの受益者に対して、向上された効率に達するために、著しく高い強度であり、十分な磁気によって処理するための次世代の単純化された装置を提供することにある。
【００３０】
本発明のさらなる目的は、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料の、より効率的な処理に関する方法を、応用において、それらの実用性を高めるために、改良することにある。
【００３１】
（発明の概要）
提示された技術的課題は、改良された次世代の単純化された装置を提供することにより、本発明によって解決され、当該改良された次世代の単純化された装置は、全体として、２つの主要部分で形成されているが、主要部分の１つは、２つのノズルからなる、非磁性の円筒形状の、真鍮がメッキされている完全な外部本体である。当該２つのノズルは、パイプラインに接続されており、次世代の単純化された装置内への水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油のような液体の炭化水素燃料及び気体の炭化水素燃料の流入口（８）に対して狭い環状の通路（４）を備えている。次世代の単純化された装置は、並んで間隔を空けられており（２５、２６、２７、２８）、長軸方向に同一の広がりを持つように、独特に直線状に構成されており、直線状の円筒型の磁石の本体（１８、２８、３３）を形成している磁石の組立体の中心の開口を直接的に通じて、螺旋状の乱流の向心運動（３４）とともに移動させる。当該直線状の円筒型の磁石の本体（１８、２８、３３）は、（直径及び長さによって、非磁性の円筒形状の、真鍮がメッキされている完全な外部本体に収まるように適合されている）非磁性の円筒形状の、真鍮がメッキされている完全な外部本体の第２の主要部分として規定されており、軸方向に磁化されている１３個のＮ５２級強ネオジム円形リングの座繰り孔の希土類磁石（１９、２２、２５、２７、２９、３０、３１）及び１２個の非磁性のＰＶＣの薄い円形リングのスペーサの組立体からなる。
【００３２】
本発明は、同軸の環状の磁化チャンバー（３４）を形成することを実現する改良された方法に関し、それ故に、当該同軸の環状の磁化チャンバー（３４）は、軸方向を除いて非常に集中している。それによって、均一且つ連続的に長軸方向に生成される磁力線を与え、それによって、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料の処理が向上された効率に達するために、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料に対する磁束及び分子励起として、非常に高い強度であり、十分且つ非常に向上された磁気効果の有効性を最大にする。それ故に、車の走行距離の３０〜６０％の増加、ＨＣの排出及び別の汚染物質の４０％〜８０％の削減、ディーゼルエンジンにおける目詰まりの問題の回避、より詳細には、ガソリン、ガソホール、ディーゼル燃料、灯油、プロパン、天然ガス、油等のような水素から構成されている液体の炭化水素燃料及び気体の炭化水素燃料、並びに、炭化水素から構成されている液体の炭化水素燃料及び気体の炭化水素燃料の２５％〜５０％の節約、環境に優しい、高価な触媒コンバータに対する３０％の付加的な耐用期間の提供、エンジンのメンテナンスを減らすこと、最も重要なことには、それらの受益者のために、少しも設計変更を必要としないこと、及び、最終的にコスト節減することをもたらすこと、が開示されている。
【００３３】
別の態様においては、本発明は、特に、ガソリン、ガソホール、ディーゼル燃料、灯油、プロパン、天然ガス、油等のような水素から構成されている液体の炭化水素燃料及び気体の炭化水素燃料、並びに、炭化水素から構成されている液体の炭化水素燃料及び気体の炭化水素燃料が、次世代の単純化された装置によって生成された強力な磁場を通じて流れる間、炭化水素がそれらの配向を変え、それらの中の分子がそれらの配置を変える理由のために、燃焼の間、再調整され、活発に酸素と結び付けられた分子を得ることによって、特に、ガソリン、ガソホール、ディーゼル燃料、灯油、プロパン、天然ガス、油等のような水素から構成されている液体の炭化水素燃料及び気体の炭化水素燃料、並びに、炭化水素から構成されている液体の炭化水素燃料及び気体の炭化水素燃料又は燃焼チャンバーにおけるガスのほぼ完全な燃焼をもたらすための次世代の単純化された装置及び方法を規定している。それ故に、特に水素から構成されている液体の炭化水素ベースの燃料及び気体の炭化水素ベースの燃料、並びに、炭化水素から構成されている液体の炭化水素ベースの燃料及び気体の炭化水素ベースの燃料に著しく改善された分子励起及び乱流を与えることになり、それによって、再重合がより効果的に抑えられ、向上された燃料効率が実現される。
【００３４】
別の態様においては、本発明は、非磁性の円筒形状の、真鍮がメッキされている完全な外部本体でできている次世代の単純化された装置を規定している。当該非磁性の円筒形状の、真鍮がメッキされている完全な外部本体は、ポンピング手段と、燃焼器、気化器又は水素から構成されている液体の炭化水素ベースの燃料及び気体の炭化水素ベースの燃料、並びに、炭化水素から構成されている液体の炭化水素ベースの燃料及び気体の炭化水素ベースの燃料の噴射器との間のパイプ上に設置されており、結果的に、磁化されている上述の燃料は、最低限の磁気の消費で、燃焼器又は噴霧ノズルに直接的に送り込まれる。
【００３５】
比較的単純な構成のために、本発明の次世代の装置は、実質的にメンテナンス不要である。次世代の装置を、種々の水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料を処理するために用いてもよい。
【００３６】
一般論として、現状の燃焼システムを有する本発明を利用することによって与えられる向上された性能は、燃料排出物における汚染物質を著しく削減することによって、大幅な環境改善をもたらすと信じられている。削減が達成されるために、未来の自動車から従来の触媒コンバータを完全になくすことが可能となり得、当該未来の自動車は、実質的に経済的な節約になる。装置の使用は、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料を、種々の応用のために使用する全てのタイプの燃焼システムにおける効率に有益であるとも信じられている。
【図面の簡単な説明】
【００３７】
【図１】図１は、次世代の単純化された装置の、内部の構成部分の全体的にハーフカットされた長軸方向の断面図であり、当該次世代の単純化された装置は、本発明に基づく内部構造を示す、明瞭性の目的のために取り除かれた部分を有する、非磁性の円筒形状の、真鍮がメッキされている完全な外部本体を全体として有している。
【図２】図２は、次世代の単純化された装置の、内部の構成部分の、全体的にハーフカットされた長軸方向の断面図であり、当該次世代の単純化された装置は、本発明に基づく内部構造を示す、明瞭性の目的のために取り除かれた部分を有する、非磁性の円筒形状の、真鍮がメッキされている完全な外部本体を全体として有している。
【図３】図３は、次世代の単純化された装置の、内部の構成部分の全体の等角図であり、当該次世代の単純化された装置は、本発明に基づく内部構造を示している、非磁性の円筒形状の、真鍮がメッキされている完全な外部本体を全体として有している。
【図４】図４は、次世代の単純化された装置の、内部の構成部分の全体の等角図であり、当該次世代の単純化された装置は、本発明に基づく内部構造を示している、非磁性の円筒形状の、真鍮がメッキされている完全な外部本体を全体として有している。
【図５】図５は、次世代の単純化された装置の、内部の構成部分の全体の等角図であり、当該次世代の単純化された装置は、本発明に基づく内部構造を示している、非磁性の円筒形状の、真鍮がメッキされている完全な外部本体を全体として有している。
【図６】図６は、次世代の単純化された装置の、内部の構成部分の全体の等角図であり、当該次世代の単純化された装置は、本発明に基づく内部構造を示している、非磁性の円筒形状の、真鍮がメッキされている完全な外部本体を全体として有している。
【図７】図７は、次世代の単純化された装置の、内部の構成部分の、全体的にハーフカットされた長軸方向の断面図であり、当該次世代の単純化された装置は、本発明に基づく内部構造を示す、明瞭性の目的のために取り除かれた部分を有する、非磁性の円筒形状の、真鍮がメッキされている完全な外部本体を全体として有している。
【図８】図８は、並んで間隔を空けられており、長軸方向に同一の広がりを持つように、独特に直線状に構成されており、直線状の円筒型の磁石の本体を形成している、磁石の組立体の構造及び配置の斜視図である。
【図９】図９は、Ｎ５２級強ネオジム円形リングの座繰り孔の希土類磁石、及び、非磁性のＰＶＣの薄い円形リングのスペーサの２つの異なる側面の部分断面透視平面図である。
【図１０】図１０は、本発明に基づく同軸の環状の磁化チャンバー（３４）を概略的に示したものである。
【図１１】図１１は、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料を処理するための、次世代の装置の、非磁性の円筒形状の、真鍮がメッキされている外部本体の、長軸方向の全体図である。
【発明を実施するための形態】
【００３８】
本発明の目的を達成するために、本発明は、添付されている図面に関して詳細に説明されている。
【００３９】
図１、図２及び図７は、非磁性の円筒形状の、真鍮がメッキされている完全な外部本体を全体として有している、次世代の単純化された装置の内部の構成部分の、全体的にハーフカットされた長軸方向の断面図である。当該非磁性の円筒形状の、真鍮がメッキされている完全な外部本体は、全体として３つの主要部分からなるが、主要部分の１つは、非磁性の円筒形状の、真鍮がメッキされている半分の外部本体である。当該非磁性の円筒形状の、真鍮がメッキされている半分の外部本体は、（図３、図４、図５、図６）１８３ｍｍ（１７、１８）の外側の全長及び外径４２ｍｍ（９、１６）を有しており、全体として３つの異なるサイズの区域から形成されているが、一般的な主要部分の第１の区域は、非磁性の円筒形状の、真鍮がメッキされている外部本体（１）（図１、図４、図５、図７）の全体的に閉じた側面を形成しており、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油のような液体の炭化水素燃料及び気体の炭化水素燃料が、次世代の単純化された装置を出る流出口（７）として使用されるノズル（６）（外径１２ｍｍ及び内径８ｍｍ並びに長さ３０ｍｍ）を有している。一般的な主要部分の第２の区域は、直線状の磁石の本体（１８、２８、３３）を形成している、中心にある円筒型の長軸方向に同一の広がりを持つ磁石の組立体に対して、（外径４２ｍｍ及び内径３１ｍｍ並びに長さ１４８ｍｍ）（１５、１６）を有する内部の円筒型の開口底部（３）を形成している。次に続く一般的な主要部分の第３の端部区域は、（外径４２ｍｍ及び内径３３ｍｍ並びに長さ２５ｍｍ）（３、１８）を有する、取り外し可能なネジ式の、真鍮がメッキされている蓋部に対して内部の円筒型の、ネジ式の開口底部を形成している。別の主要部分は、円筒型の取り外し可能なネジ式の、真鍮がメッキされている蓋部（２）（図２、図３、図６）を形成している。当該円筒型の取り外し可能なネジ式の、真鍮がメッキされている蓋部（２）は、第１の区域及び次に続く端部区域のように２つの異なるサイズの区域から形成されているが、当該第１の区域は、（外径３３ｍｍ及び内径６ｍｍ並びに長さ２５ｍｍ）（１３、１４）（図３、図６）を有する内部の円筒型のネジ式プラグ（４）を形成している。次に続く端部区域は、円筒型の取り外し可能なネジ式の、真鍮がメッキされている蓋部（２）の閉じた側面を形成している。当該円筒型の取り外し可能なネジ式の、真鍮がメッキされている蓋部（２）は、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料の漏出を防ぐための２つのＯリング（１４）と、（外径４２ｍｍ及び内径６ｍｍ並びに長さ３０ｍｍ）（１１、１２）を有する流入口（８）として使用されるノズル（５）（外径１０ｍｍ及び内径６ｍｍ並びに長さ３０ｍｍ）と、を有している。当該ノズル（５）は、パイプラインに接続されており、本発明に基づく内部構造を示す、明瞭性の目的のために取り除かれた部分を有する次世代の単純化された装置内への、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油のような液体の炭化水素燃料及び気体の炭化水素燃料の流入口（８）に対して狭い環状の通路（４）を備えている。
【００４０】
図３、図４、図５及び図６は、非磁性の円筒形状の、真鍮がメッキされている完全な外部本体を全体として有している次世代の単純化された装置の、内部の構成部分の、全体の等角図である。当該非磁性の円筒形状の、真鍮がメッキされている完全な外部本体は、全体的に３つの主要部分からなるが、主要部分の１つは、（図３、図４、図５、図６）の１８３ｍｍ（１７、１８）の外側の全長及び外径４２ｍｍ（９、１６）を有する、非磁性の円筒形状の、真鍮がメッキされている半分の外部本体であり、全体として３つの異なるサイズの区域から形成されているが、一般的な主要部分の第１の区域は、非磁性の円筒形状の、真鍮がメッキされている外部本体（１）（図１、図４、図５、図７）の全体的に閉じた側面を形成しており、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料が、次世代の単純化された装置を出る流出口（７）として使用されるノズル（６）（外径１２ｍｍ及び内径８ｍｍ並びに長さ３０ｍｍ）を有している。一般的な主要部分の第２の区域は、直線状の磁石の本体（１８、２８、３３）を形成している、中心にある円筒型の長軸方向に同一の広がりを持つ磁石の組立体に対して、（外径４２ｍｍ及び内径３１ｍｍ並びに長さ１４８ｍｍ）（１５、１６）を有する内部の円筒型の開口底部（３）を形成している。次に続く一般的な主要部分の第３の端部区域は、（外径４２ｍｍ及び内径３３ｍｍ並びに長さ２５ｍｍ）（３、１８）を有する取り外し可能な蓋部に対して、内部の円筒型の、ネジ式の開口底部を形成している。別の主要部分は、円筒型の取り外し可能なネジ式の、真鍮がメッキされている蓋部（２）（図２、図３、図６）を形成している。当該円筒型の取り外し可能なネジ式の、真鍮がメッキされている蓋部（２）は、第１の区域及び次に続く端部区域のように２つの異なるサイズの区域から形成されているが、当該第１の区域は、（外径３３ｍｍ及び内径６ｍｍ並びに長さ２５ｍｍ）（１３、１４）（図３、図６）を有する内部の円筒型のネジ式プラグ（４）を形成している。次に続く端部区域は、円筒型の取り外し可能なネジ式の、真鍮がメッキされている蓋部（２）の閉じた側面を形成しており、当該円筒型の取り外し可能なネジ式の、真鍮がメッキされている蓋部（２）は、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料の漏出を防ぐための２つのＯリング（１４）と、（外径４２ｍｍ及び内径６ｍｍ並びに長さ３０ｍｍ）（１１、１２）を有する流入口（８）として使用されるノズル（５）（外径１０ｍｍ及び内径６ｍｍ並びに長さ３０ｍｍ）と、を有している。当該ノズル（５）は、パイプラインに接続されており、本発明に基づく内部構造を示す、明瞭性の目的のために取り除かれた部分を有する次世代の単純化された装置内への、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油のような液体の炭化水素燃料及び気体の炭化水素燃料の流入口（８）に対して狭い環状の通路（４）を備えている。
【００４１】
図８は、並んで間隔を空けられており（２５、２６、２７、２８）、長軸方向に同一の広がりを持つように、独特に直線状に構成されており、直線状の円筒型の磁石の本体（１８、２８、３３）を形成している、磁石の組立体（図８、図９）の構造及び配置の斜視図である。当該直線状の円筒型の磁石の本体（１８、２８、３３）は、（直径及び長さによって、非磁性の円筒形状の、真鍮がメッキされている外部本体内に収まるように適合されている）（図１）非磁性の円筒形状の、真鍮がメッキされている完全な外部本体の第３の主要部分として規定されており、軸方向に磁化されている１３個のＮ５２級強ネオジム円形リングの座繰り孔の希土類磁石（１９、２２、２５、２７、２９、３０、３１）及び、１２個の非磁性のＰＶＣの薄い円形リングのスペーサ（２０、２３、２６、３２）の組立体（図８、図９）からなり、同軸の環状の磁化チャンバー（３４）を形成している。当該１３個のＮ５２級強ネオジム円形リングの座繰り孔の希土類磁石（１９、２２、２５、２７、２９、３０、３１）は、外径３０ｍｍ、内径５ｍｍ、厚さ１０ｍｍであり、最大径１０ｍｍ（１９、２２、２５、２７、２９、３０、３１）を有する座繰り孔、及び、磁石を有している。当該磁石は、内径５ｍｍを有する平面がＮ極（３１）として規定され、最大径１０ｍｍを有する座繰り孔を有する平面がＳ極（３１）として規定されており、ニッケル（Ｎｉ−Ｃｕ−Ｎｉ）で覆われており、磁石の引力＝３７．２０ｌｂ、中心＝−９，５１２ガウスの表面の場、リング＝５，０８４ガウス、磁場の強さ＝７，１０３ガウス、Ｂｒ最大値＝１４，８００ガウスの場（図８及び図１０）であり、１２個の非磁性のＰＶＣの薄い円形リングのスペーサ（２０、２３、２６、３２）は、外径３０ｍｍ、内径１２ｍｍ、厚さ１．５ｍｍである。
【００４２】
図９は、Ｎ５２級強ネオジム円形リングの座繰り孔の希土類磁石（１９、２１、２２、２４、２５、２７、２９、３９、３１）及び非磁性のＰＶＣの薄い円形リングのスペーサ（２０、２３、２６、３２）の２つの異なる側面の部分断面透視平面図である。
【００４３】
図１０は、本発明に基づく同軸の環状の磁化チャンバー（３４）を概略的に示したものであり、当該同軸の環状の磁化チャンバー（３４）は、環状の磁化チャンバー（３４）に存在している磁場の可変性と組み合わせて、結果的に、分子の配向に非常に速い連続的な変化をもたらし、水素から構成されている水のような液体の物質及び気体の物質、並びに、炭化水素から構成されている液体の物質及び気体の物質、より詳細には、液体の炭化水素燃料及び気体の炭化水素燃料、例えば、ガソリン、ガソホール、ディーゼル燃料、灯油、プロパン、天然ガス、油等の原子粒子の極めて激しく、頻繁な移動を引き起こす。それ故に、軸方向を除いて非常に集中しており、それによって、均一且つ連続的に長軸方向に生成される磁力線を与え、それによって、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料の処理が向上された効率に達するために、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料に対する磁束及び分子励起として非常に高い強度であり、十分且つ非常に向上された磁気効果の有効性を最大にする。
【００４４】
図１１は、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料を処理するための次世代の装置の、非磁性の円筒形状の、真鍮がメッキされている外部本体の長軸方向の全体図である。
【００４５】
本発明は、独特な特徴及び性能のＮ５２級強ネオジム円形リングの座繰り孔の希土類磁石（２２、２９、３９）を採用することで、円筒形状の、単純化された次世代の装置により、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料を著しく高い強度で磁気的に処理することを、効果的に成し遂げることができるという発見に基づいている。Ｎ５２級強ネオジム円形リングの座繰り孔の希土類磁石（２３）を採用している本発明の次世代の装置は、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料を、従来の装置の複雑さを伴うことなしに、その結果、従来の装置に伴うコストなしに、高い強度で磁気的に処理することに非常に効果的であることが発見されている。
【００４６】
本発明は、非磁性の円筒形状の、真鍮でメッキされており、２つのノズルからなる完全な外部本体の改善された実現方法にさらに基づいており、当該２つのノズルは、パイプラインに接続され、次世代の単純化された装置内への、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油のような液体の炭化水素燃料及び気体の炭化水素燃料の流入口（８）に対して狭い環状の通路（４）を備えている。次世代の単純化された装置は、並んで間隔を空けられており（２５、２６、２７、２８）、長軸方向に同一の広がりを持つように、独特に直線状に構成されており、直線状の円筒型の磁石の本体（１８、２８、３３）を形成している磁石の組立体の中心の開口を直接的に通じて、螺旋状の乱流の向心運動（３４）とともに移動させる（当該直線状の円筒型の磁石の本体（１８、２８、３３）は、直径及び長さによって、非磁性の円筒形状の、真鍮がメッキされている外部本体に収まるように適合されており、軸方向に磁化されている１３個のＮ５２級強ネオジム円形リングの座繰り孔の希土類磁石（１９、２２、２５、２７、２９、３０、３１）及び１２個の非磁性のＰＶＣの薄い円形リングのスペーサの組立体からなり、同軸の環状の磁化チャンバー（３４）を形成している）。それ故に、当該同軸の環状の磁化チャンバー（３４）は、軸方向を除いて非常に集中しており、それによって、均一且つ連続的に長軸方向に生成される磁力線を与え、それによって、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料の処理が、それらの受益者に対して、向上された効率に達するために、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料に対する磁束及び分子励起として高い強度であり、十分且つ非常に向上された磁気効果の有効性を最大にする。
【００４７】
その基本的な態様においては、本発明の装置は、全体として非磁性の円筒形状の、真鍮がメッキされている完全な外部本体を有している次世代の単純化された装置である。当該非磁性の円筒形状の、真鍮がメッキされている完全な外部本体は、全体として３つの主要部分からなるが、主要部分の１つは、非磁性の円筒形状の、真鍮がメッキされている半分の外部本体である。当該非磁性の円筒形状の、真鍮がメッキされている半分の外部本体は、１８３ｍｍ（１７、１８）の外側の全長及び外径４２ｍｍ（９、１６）を有しており、全体として３つの異なるサイズの区域から形成されているが、一般的な主要部分の第１の区域は、非磁性の円筒形状の、真鍮がメッキされている外部本体（１）の全体的に閉じた側面を形成しており、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油のような液体の炭化水素燃料及び気体の炭化水素燃料が次世代の単純化された装置を出る流出口（７）として使用されるノズル（６）（外径１２ｍｍ及び内径８ｍｍ並びに長さ３０ｍｍ）を有している。一般的な主要部分の第２の区域は、直線状の磁石の本体（１８、２８、３３）を形成している、中心にある円筒型の長軸方向に同一の広がりを持つ磁石組立体に対して、（外径４２ｍｍ及び内径３１ｍｍ並びに長さ１４８ｍｍ）（１５、１６）を有する内部の円筒型の開口底部（３）を形成している。一般的な主要部分の次に続く第３の端部区域は、（外径４２ｍｍ及び内径３３ｍｍ並びに長さ２５ｍｍ）（３、１８）を有する取り外し可能なネジ式の、真鍮がメッキされている蓋部に対して、内部の円筒型の、ネジ式の開口底部を形成している。別の主要部分は、円筒型の取り外し可能なネジ式の、真鍮がメッキされている蓋部（２）を形成しており、第１の区域及び次に続く端部区域のように２つの異なるサイズの区域から形成されているが、当該第１の区域は、（外径３３ｍｍ及び内径６ｍｍ並びに長さ２５ｍｍ）（１３、１４）を有する内部の円筒型のネジ式プラグ（４）を形成している。次に続く端部区域は、円筒型の取り外し可能なネジ式の、真鍮がメッキされている蓋部（２）の閉じた側面を形成している。当該円筒型の取り外し可能なネジ式の、真鍮がメッキされている蓋部（２）は、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料の漏出を防ぐための２つのＯリング（１４）と、（外径４２ｍｍ及び内径６ｍｍ並びに長さ３０ｍｍ）（１１、１２）を有する流入口（８）として使用されるノズル（５）（外径１０ｍｍ及び内径６ｍｍ並びに長さ３０ｍｍ）と、を有している。当該ノズル（５）は、パイプラインに接続されており、次世代の単純化された装置内への、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油のような液体の炭化水素燃料及び気体の炭化水素燃料の流入口（８）に対して狭い環状の通路（４）を備えている。
【００４８】
この好ましい配置は、Ｎ５２級強ネオジム円形リングの座繰り孔の希土類磁石（１９、２２、２５、２７、２９、３０、３１）（外径３０ｍｍ、内径５ｍｍ、厚さ１０ｍｍであり、最大径１０ｍｍ（１９、２２、２５、２７、２９、３０、３１）を有する座繰り孔を有している）の各々の端部が適切な位置にあるとき、２つのＮ５２級強ネオジム円形リングの座繰り孔の希土類磁石（１９、２２、２５、２７、２９、３０、３１）間に磁気効果の向上を与えるために、２つのＮ５２級強ネオジム円形リングの座繰り孔の希土類磁石（１９、２２、２５、２７、２９、３０、３１）間に間隙を形成するためのスペーサとして、非磁性の薄い円形リング（外径３０ｍｍ、内径１２ｍｍ、厚さ１．５ｍｍ）（２０、２３、２６、３２）が使用されており、私によって発明された単純な技術である、改良され、単純化された本発明の次世代の装置を用いて、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料の、より均一且つ効率的な処理をさらに促進している。
【００４９】
したがって、並んで間隔を空けられており（２５、２６、２７、２８）、長軸方向に同一の広がりを持つように、独特に直線状に構成されている磁石の組立体が、直線状の円筒型の磁石の本体（１８、２８、３３）を形成しており、当該直線状の円筒型の磁石の本体（１８、２８、３３）が、軸方向に磁化されている１３個のＮ５２級強ネオジム円形リングの座繰り孔の希土類磁石（１９、２２、２５、２７、２９、３０、３１）及び１２個の非磁性のＰＶＣの薄い円形リングのスペーサ（２０、２３、２６、３２）の組立体からなり、同軸の環状の磁化チャンバー（３４）を形成しており、１３個のＮ５２級強ネオジム円形リングの座繰り孔の希土類磁石（１９、２２、２５、２７、２９、３０、３１）が、外径３０ｍｍ、内径５ｍｍ、厚さ１０ｍｍであり、最大径１０ｍｍ（１９、２２、２５、２７、２９、３０、３１）を有する座繰り孔、及び、磁石を有し、当該磁石が、内径５ｍｍを有する平面がＮ極（３１）として規定され、最大径１０ｍｍを有する座繰り孔を有する平面がＳ極（３１）として規定されており、ニッケル（Ｎｉ−Ｃｕ−Ｎｉ）で覆われており、磁石の引力＝３７．２０ｌｂ、中心＝−９，５１２ガウスの表面の場、リング＝５，０８４ガウス、磁場の強さ＝７，１０３ガウス、Ｂｒ最大値＝１４，８００ガウスの場（図８及び図１０）であり、１２個の非磁性のＰＶＣの薄い円形リングのスペーサ（２０、２３、２６、３２）は、外径３０ｍｍ、内径１２ｍｍ、厚さ１．５ｍｍであり、１３個のＮ５２級強ネオジム円形リングの座繰り孔の希土類磁石（１９、２２、２５、２７、２９、３０、３１）及び１２個の非磁性のＰＶＣの薄い円形リングのスペーサ（２０、２３、２６、３２）が、１つのＮ５２級強ネオジム円形リングの座繰り孔の希土類金属（１９、２２、２５、２７、２９、３０、３１）に端を発して位置付けられているとき（磁石は、反対側の極が互いに向き合って位置付けられていることで（図８）、２つの磁石の各々の間に間隙を与えるために、１つの非磁性のＰＶＣの薄い円形リングのスペーサ（２０、２３、２６、３２）が用いられた後、磁石は互いに向かって引き付けられる）、同軸の環状の磁化チャンバー（３４）は、環状の磁化チャンバー（３４）に存在している磁場の可変性と組み合わせて、結果的に、分子の配向に非常に速い連続的な変化をもたらし、水素から構成されている水のような液体の物質及び気体の物質、並びに、炭化水素から構成されている液体の物質及び気体の物質、より詳細には、液体の炭化水素燃料及び気体の炭化水素燃料、例えば、ガソリン、ガソホール、ディーゼル燃料、灯油、プロパン、天然ガス、油等の原子粒子の極めて激しく、頻繁な移動を引き起こす。それ故に、軸方向を除いて非常に集中しており、それによって、均一且つ連続的に長軸方向に生成される磁力線を与え、それによって、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料の処理が向上された効率に達するために、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料に対する磁束及び分子励起として非常に高い強度であり、十分且つ非常に向上された磁気効果の有効性を最大にするということを、私は発見した。
【００５０】
ここで使用されているように、「磁石」という用語は、軸方向に磁化されているＮ５２級強ネオジム円形リングの座繰り孔の希土類磁石（１９、２２、２５、２７、２９、３０、３１）をはっきりと意味する。当該Ｎ５２級強ネオジム円形リングの座繰り孔の希土類磁石（１９、２２、２５、２７、２９、３０、３１）は、外径３０ｍｍ、内径５ｍｍ、厚さ１０ｍｍであり、最大径１０ｍｍ（１９、２２、２５、２７、２９、３０、３１）を有する座繰り孔、及び、磁石を有し、当該磁石は、内径５ｍｍを有する平面がＮ極（３１）として規定され、最大径１０ｍｍを有する座繰り孔を有している平面がＳ極として規定されており、ニッケル（Ｎｉ−Ｃｕ−Ｎｉ）で覆われており、磁石の引力＝３７．２０ｌｂ、中心＝−９，５１２ガウスの表面の場、リング＝５，０８４ガウス、磁場の強さ＝７，１０３ガウス、Ｂｒ最大値＝１４，８００ガウスの場（図８及び図１０）である。私が行った試験によれば、私は、軸方向に磁化されている１３個のＮ５２級強ネオジム円形リングの座繰り孔の希土類磁石を使用することによって、また、特別な車のために、２６個のＮ５２級強ネオジム円形リングの座繰り孔の希土類磁石（外径３０ｍｍ、内径５ｍｍ、厚さ１０ｍｍであり、最大径１０ｍｍを有する座繰り孔を有している）を使用することによって、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料の処理に対して、最大限向上された効率に達し（１３個のＮ５２級強ネオジム円形リングの座繰り孔の希土類磁石は、外径３０ｍｍ、内径５ｍｍ、厚さ１０ｍｍであり、最大径１０ｍｍを有する座繰り孔及び磁石を有しており、当該磁石は、内径５ｍｍを有する平面がＮ極として規定され、最大径１０ｍｍを有する座繰り孔を有している平面がＳ極として規定されており、ニッケル（Ｎｉ−Ｃｕ−Ｎｉ）で覆われており、磁石の引力＝３７．２０ｌｂ、中心＝−９，５１２ガウスの表面の場、リング＝５，０８４ガウス、磁場の強さ＝７，１０３ガウス、Ｂｒ最大値＝１４，８００ガウスの場（図８及び図１０）である）、外径、内径及び厚さに基づく異なるサイズを有するＮ３５、Ｎ３８、Ｎ４０、Ｎ４２、Ｎ４５、Ｎ５０級強ネオジム（ＮｄＦｅＢ）円形リングの座繰り孔の希土類磁石のいずれかを使用することによって、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料に対する磁束及び分子励起として、低い効率の非常に高い強度であり、十分且つ非常に向上された磁気効果となることが、私によって最終的に実現されている。
【００５１】
「非磁性のスペーサ」という用語は、ＰＶＣの硬い材料でできている円形の薄いリングをはっきりと意味するが、他の非磁性の材料も使用することができる。（外径３０ｍｍｍ、内径１２ｍｍ、厚さ１．５ｍｍ）（２０、２３、２６、３２）（私が行った試験によれば、私は、１．５ｍｍの厚さを有する２つの上述の磁石間に間隙を与えるスペーサとして非磁性のＰＶＣの薄い円形リングのスペーサを用いて、水のような流体、より詳細には、ガソリン、ガソホール、ディーゼル燃料、灯油、プロパン、天然ガス、油等のような液体の炭化水素燃料及び気体の炭化水素燃料に対して最大の効率に達した。）（２つの上述の磁石間にＰＶＣの円形リングのスペーサを用いて、上述の中心における磁場の強さが７１０３ガウスであると我々が算出していることを、私は認識している。）
「非磁性の（nonmagnetic）」という用語は、銅がメッキされている（私が行った試験によれば、私は、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料に対して最大の効率に達している）任意の材料であり、例えば、ＰＶＣ、ケスタミド、アルミニウム、所定のステンレス鋼、及び、磁石又は磁場によって引き付けられないか、影響を受けない別の材料をはっきりと意味する。
【００５２】
「磁性の（magnetic）」という用語は、並んで間隔を空けられており、長軸方向に同一の広がりを持つように、独特に直線状に構成されており、直線状の磁石の本体（１８）を形成している磁石の組立体（図９）によって生成される磁場によって引き寄せられ、影響を受ける強磁性材料等の材料を意味する。
【００５３】
「強磁性の（ferromagnetic）」という用語は、高い透磁率及び飽和点を有している材料、及び、磁石に引き寄せられる材料、すなわち、鉄、ニッケル、コバルト等の材料を説明するために用いられている。
【００５４】
本発明の別の実施形態の図（図８及び図９）では、直線状の磁石の本体（１８）を形成している長軸方向に同一の広がりを持つ磁石の組立体を示している。当該直線状の磁石の本体（１８）は、複数の１３個のＮ５２級強ネオジム円形リングの座繰り孔の希土類磁石（１９、２２、２５、２７、２９、３０、３１）及び１２個の非磁性のＰＶＣの薄い円形リングのスペーサ（２０、２３、２６、３２）からなり、当該１３個のＮ５２級強ネオジム円形リングの座繰り孔の希土類磁石（１９、２２、２５、２７、２９、３０、３１）は、外径３０ｍｍ、内径５ｍｍ、厚さ１０ｍｍであり、各々の中心において円形の開口を有している最大径１０ｍｍを有する座繰り孔（１９、２２、２５、２７、２９、３０、３１）を有している。当該１２個の非磁性のＰＶＣの薄い円形リングのスペーサ（２０、２３、２６、３２）は、外径３０ｍｍ、内径１２ｍｍ、厚さ１．５ｍｍであり、強ネオジム（ＮｄＦｅＢ）円形リングの座繰り孔の希土類磁石（１９、２２、２３、２５、２７、２９、３０、３１）の間に交互に位置付けられている。その上、強ネオジム（ＮｄＦｅＢ）円形リングの座繰り孔の希土類磁石のサイズ及び／又は数、並びに、非磁性の円形リングのスペーサの数を増加することによって、任意の度合いの磁場の力又は強度を与えるように、本発明の装置を構成することができるということが理解されるべきである。
【００５５】
図８、図９及び図１０は、各々の非磁性のＰＶＣの薄い円形リングのスペーサが、Ｎ５２級強ネオジム円形リングの座繰り孔の希土類磁石の中心における円形の開口の直径よりも大きいという点で、本発明の、別の好ましい特徴の、非磁性の薄いＰＶＣの円形リングのスペーサの態様を示している。Ｎ５２級強ネオジム円形リングの座繰り孔の希土類磁石の中心の開口の向こうの中心の開口における円形リングのスペーサの拡張は、直線状の磁石の本体（１８）を形成している、長軸方向に同一の広がりを持つ磁石の組立体（図９）の、中心の円形の開口における磁場を増し、強め、集中する役割を果たす。
【００５６】
以下のことが信じられている。受益者によって現在使用されている市場における、異常に低い有効性の装置は、図１１に示されているような次世代の単純化された装置によって改良され、当該次世代の単純化された装置は、全体として非磁性の円筒形状の、真鍮がメッキされている完全な外部本体を有している。当該非磁性の円筒形状の、真鍮がメッキされている完全な外部本体は、私によって発明されており、全体として非磁性の円筒形状の、真鍮がメッキされている完全な外部本体を有している図１１に示されるような、この次世代の単純化された装置において規定されており、次世代の単純化された装置内への、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油のような液体の炭化水素燃料及び気体の炭化水素燃料の流入口（８）に対するパイプラインに接続されており、並んで間隔を空けられており（２５、２６、２７、２８）、長軸方向に同一の広がりを持つように、独特に直線状に構成されており、直線状の円筒型の磁石の本体（１８、２８、３３）を形成している磁石の組立体（図８、図９）の中心の開口を直接的に通じる狭い環状の通路（３４）を備えている（当該直線状の円筒型の磁石の本体（１８、２８、３３）は、軸方向に磁化されている１３個のＮ５２級強ネオジム円形リングの座繰り孔の希土類磁石（１９、２２、２５、２７、２９、３０、３１）及び１２個の非磁性のＰＶＣの薄い円形リングのスペーサ（２０、２３、２６、３２）の組立体（図８、図９）からなり、同軸の環状の磁化チャンバー（３４）を形成している。当該１３個のＮ５２級強ネオジム円形リングの座繰り孔の希土類磁石（１９、２２、２５、２７、２９、３０、３１）は、外径３０ｍｍ、内径５ｍｍ、厚さ１０ｍｍであり、最大径１０ｍｍ（１９、２２、２５、２７、２９、３０、３１）を有する座繰り孔、及び、磁石を有しており、当該１２個の非磁性のＰＶＣの薄い円形リングのスペーサ（２０、２３、２６、３２）は、外径３０ｍｍ、内径１２ｍｍ、厚さ１．５ｍｍである）。それ故に、同軸の環状の磁化チャンバー（３４）は、軸方向を除いて非常に集中しており、それによって、均一且つ連続的に長軸方向に生成される磁力線及び螺旋状の乱流運動（３４）を与え、当該螺旋状の乱流運動（３４）は、環状の磁化チャンバー（３４）に存在している磁場の可変性と組み合わせて、結果的に、分子の配向に非常に速い連続的な変化をもたらし、並んで間隔を空けられおり（２５、２６、２７、２８）、長軸方向に同一の広がりを持つように、独特に直線状に構成されており、向心運動によって同軸の環状の磁化チャンバー（３４）として規定されている直線状の円筒型の磁石の本体（１８、２８、３３）を形成している、磁石の組立体（図８、図９）の中心の開口を直接的に通過する、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油のような液体の炭化水素燃料及び気体の炭化水素燃料の原子粒子の極めて激しく、頻繁な移動を引き起こす。それによって、磁束及びそれらの分子の円弧における原子の分子励起として、非常に高い強度であり、十分且つ非常に向上された磁気効果の有効性を最大にし、その結果、磁場による周知の強制的配向、すなわち、高い強度の磁力(１ｃｍ２当たり数百万ダイン）によって作られた多数の分子のひずみを起こすことができる。当該高い強度の磁力は、特に、液体の炭化水素燃料及び気体の炭化水素燃料、例えば、ガソリン、ガソホール、ディーゼル燃料、灯油、プロパン、天然ガス、油等の分子の分解を促進し、上述の分子の物理的ひずみは、結果的に、より容易な、又は、完全な燃焼をもたらす。それ故に、車の走行距離の３０〜６０％の増加、ＨＣの排出及び別の汚染物質の４０％〜８０％の削減、ディーゼルエンジンにおける目詰まりの問題の回避、より詳細には、ガソリン、ガソホール、ディーゼル燃料、灯油、プロパン、天然ガス、油等のような水素から構成されている液体の炭化水素燃料及び気体の炭化水素燃料、並びに、炭化水素から構成されている液体の炭化水素燃料及び気体の炭化水素燃料の２５％〜５０％の節約、環境に優しい、高価な触媒コンバータに対する３０％の付加的な耐用期間の提供、エンジンのメンテナンスを減らすこと、最も重要なことには、それらの受益者のために、少しも設計変更を必要としないこと、及び、最終的にコスト節減することをもたらす。
【００５７】
本発明は、燃料が次世代の単純化された装置によって生成された強力な磁場を通じて流れる間、炭化水素がそれらの配向を変え、それらの中の分子がそれらの配置を変える理由のために、燃焼の間、再調整され、活発に酸素と結び付けられた分子を得ることによって、燃焼チャンバーにおいて、特に、液体の炭化水素燃料及び気体の炭化水素燃料のほぼ完全な燃焼をもたらすための次世代の単純化された装置及び方法を規定している。それ故に、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料に、著しく改善された分子励起及び乱流を与えることになり、それによって、再重合がより効果的に抑えられ、向上された燃料効率が実現される。
【００５８】
以下のことが発見されている。本発明によれば、図１１に示されているような次世代の単純化された装置は、全体として非磁性の円筒形状の、真鍮がメッキされている完全な外部本体を有している。当該非磁性の円筒形状の、真鍮がメッキされている完全な外部本体は、全体として３つの主要部分からなるが、主要部分の１つは、非磁性の円筒形状の、真鍮がメッキされている半分の外部本体であり、全体として３つの主要部分からなるが、主要部分の１つは、非磁性の円筒形状の、真鍮がメッキされている半分の外部本体である。当該半分の本体は、（図３、図４、図５、図６）１８３ｍｍ（１７、１８）の外側の全長及び外径４２ｍｍ（９、１６）を有しており、全体として３つの異なるサイズの区域から形成されているが、一般的な主要部分の第１の区域は、非磁性の円筒形状の、真鍮がメッキされている外部本体（１）（図１、図４、図５、図７）の全体的に閉じた側面を形成しており、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油のような液体の炭化水素燃料及び気体の炭化水素燃料が、次世代の単純化された装置を出る流出口（７）として使用されるノズル（６）（外径１２ｍｍ及び内径８ｍｍ並びに長さ３０ｍｍ）を有している。一般的な主要部分の第２の区域は、直線状の磁石の本体（１８、２８、３３）を形成している、中心にある円筒型の長軸方向に同一の広がりを持つ磁石の組立体に対して、（外径４２ｍｍ及び内径３１ｍｍ並びに長さ１４８ｍｍ）（１５、１６）を有する内部の円筒型の開口底部（３）を形成している。次に続く一般的な主要部分の第３の端部区域は、（外径４２ｍｍ及び内径３３ｍｍ並びに長さ２５ｍｍ）（３、１８）を有する、取り外し可能なネジ式の、真鍮がメッキされている蓋部に対して内部の円筒型の、ネジ式の開口底部を形成している。別の主要部分は、円筒型の取り外し可能なネジ式の、真鍮がメッキされている蓋部（２）（図２、図３、図６）を形成しており、当該円筒型の取り外し可能なネジ式の、真鍮がメッキされている蓋部（２）は、第１の区域及び次に続く端部区域のように２つの異なるサイズの区域から形成されているが、当該第１の区域は、（外径３３ｍｍ及び内径６ｍｍ並びに長さ２５ｍｍ）（１３、１４）（図３、図６）を有する内部の円筒型のネジ式プラグ（４）を形成している。次に続く端部区域は、円筒型の取り外し可能なネジ式の、真鍮がメッキされている蓋部（２）の閉じた側面を形成している。当該円筒型の取り外し可能なネジ式の、真鍮がメッキされている蓋部（２）は、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料の漏出を防ぐための２つのＯリング（１４）と、（外径４２ｍｍ及び内径６ｍｍ並びに長さ３０ｍｍ）（１１、１２）を有する流入口（８）として使用されるノズル（５）（外径１０ｍｍ及び内径６ｍｍ並びに長さ３０ｍｍ）と、を有している。当該ノズル（５）は、次世代の単純化された装置内への、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油のような液体の炭化水素燃料及び気体の炭化水素燃料の流入口（８）に対するパイプラインに接続されており、並んで間隔を空けられており（２５、２６、２７、２８）、長軸方向に同一の広がりを持つように、独特に直線状に構成されており、直線状の円筒型の磁石の本体（１８、２８、３３）を形成している、磁石の組立体（図８、図９）の中心の開口を直接的に通じる狭い環状の通路（３４）を備えている。当該直線状の円筒型の磁石の本体（１８、２８、３３）は、（直径及び長さによって、非磁性の円筒形状の、真鍮がメッキされている外部本体内に、収まるように適合されている）（図１）非磁性の円筒形状の、真鍮がメッキされている完全な外部本体の第３の主要部分として規定されており、軸方向に磁化されている１３個のＮ５２級強ネオジム円形リングの座繰り孔の希土類磁石（１９、２２、２５、２７、２９、３０、３１）及び、１２個の非磁性のＰＶＣの薄い円形リングのスペーサ（２０、２３、２６、３２）の組立体（図８、図９）からなり、同軸の環状の磁化チャンバー（３４）を形成している（当該１３個のＮ５２級強ネオジム円形リングの座繰り孔の希土類磁石（１９、２２、２５、２７、２９、３０、３１）は、外径３０ｍｍ、内径５ｍｍ、厚さ１０ｍｍであり、最大径１０ｍｍ（１９、２２、２５、２７、２９、３０、３１）を有する座繰り孔、及び、磁石を有している。当該磁石は、内径５ｍｍを有する平面がＮ極（３１）として規定され、最大径１０ｍｍを有する座繰り孔を有する平面がＳ極（３１）として規定されており、ニッケル（Ｎｉ−Ｃｕ−Ｎｉ）で覆われており、磁石の引力＝３７．２０ｌｂ、中心＝−９，５１２ガウスの表面の場、リング＝５，０８４ガウス、磁場の強さ＝７，１０３ガウス、Ｂｒ最大値＝１４，８００ガウスの場（図８及び図１０）である。１２個の非磁性のＰＶＣの薄い円形リングのスペーサ（２０、２３、２６、３２）は、外径３０ｍｍ、内径１２ｍｍ、厚さ１．５ｍｍである）。それ故に、同軸の環状の磁化チャンバー（３４）は、軸方向を除いて非常に集中しており、それによって、均一且つ連続的に長軸方向に生成される磁力線及び螺旋状の乱流運動（３４）を与え、当該乱流運動（３４）は、環状の磁化チャンバー（３４）に存在している磁場の可変性と組み合わせて、結果的に、分子の配向に非常に速い連続的な変化をもたらし、並んで間隔を空けられており（２５、２６、２７、２８）、長軸方向に同一の広がりを持つように、独特に直線状に構成されており、向心運動によって同軸の環状の磁化チャンバー（３４）として規定されている直線状の円筒型の磁石の本体（１８、２８、３３）を形成している、磁石の組立体（図８、図９）の中心の開口を直接的に通過する、水素から構成されている水のような液体の物質及び気体の物質、並びに、炭化水素から構成されている液体の物質及び気体の物質、より詳細には、液体の炭化水素燃料及び気体の炭化水素燃料、例えば、ガソリン、ガソホール、ディーゼル燃料、灯油、プロパン、天然ガス、油の原子粒子の極めて激しく、頻繁な移動を引き起こす。それによって、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料の処理が向上された効率に達するために、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料に対する磁束及び分子励起として高い強度であり、十分且つ非常に向上された磁気効果の有効性を最大にする。
【００５９】
本発明の例として、次世代の単純化された装置が、私のＡＵＤＩＡ−６ ２００９ ２．０ ＴＤＩの自動車に設置された。自動車は、ディーゼルエンジンに繋がっている燃料ラインへの上述の装置の設置前及び設置後に、ダイナモネター（dynamoneter）で試験された。ダイナモネター（dynamoneter）試験は、上述の次世代の装置がエンジンの燃料ラインに設置された後に、自動車が、３５％の馬力の増加をもたらし、６５．４％の煙の排出の削減をもたらし、３５％のディーゼル燃料の消費の削減をもたらしたことを示した。
【００６０】
この装置は、マツダ ２．５． ディーゼル １００ ＨＰ １９８８ 小型トラックに設置された。自動車は、ディーゼルエンジンに繋がっている燃料ラインへの上述の装置の設置前及び設置後に、ダイナモネター（dynamoneter）で試験された。ダイナモネター（dynamoneter）試験は、上述の次世代の装置がエンジンの燃料ラインに設置された後に、自動車が、３０％の馬力の増加をもたらし、６０．１％の煙の排出の削減をもたらし、３０％のディーゼル燃料の消費の削減をもたらしたということを示した。
【００６１】
前述の図１１に関し、次世代の装置は、特に、液体の炭化水素燃料及び気体の炭化水素燃料を運ぶパイプの部分を、当該液体の炭化水素燃料及び気体の炭化水素燃料の使用前に形成する。内燃機関エンジンの燃料の場合、この部分は、エンジン内に燃料を送り込むための器具の近くに位置している。ボイラー又はタービンの中で使用するための軽油又は灯油の場合、この部分は、燃焼チャンバーの近くに位置している。家庭燃料ガス（例えば、メタン）の場合、この部分は、炎の近くに位置している。装置は、流体を運ぶパイプへの接続のための接合具と合わなければならず、当該流体を運ぶパイプは、その特定の使用に適している。当該装置が、家庭的にウォーターパイプ中で使用されることになる場合、これらの接合具は、好ましくは、通常のネジ込み式のものである。当該装置が、特に、液体の炭化水素燃料及び気体の炭化水素燃料がゴムホースを通じて流れる内燃機関エンジン中で使用されることになる場合、挿入によってゴムホースに接続され、その後、当該部分上で通常のホースクリップによって留めるための２つのノズル（７、８）とともに装置を備えることができる。
【００６２】
分解し、より小さく形成するための、発明された次世代の装置から得られた高磁場で処理された炭化水素の分子は、改善された燃焼を導く酸素との反応のために、より高度な特定の表面と結合し、弱い結合力のファンデルワールスの発見に基づき、そのような磁化された燃料において酸素と炭化水素との強い結合がある。当該磁化された燃料は、エンジンのチャンバーにおける混合物の最適な燃焼を確かなものにし、特に、液体の炭化水素燃料及び気体の炭化水素燃料を高磁場で処理する結果は、特に液体の炭化水素燃料及び気体の炭化水素燃料の改善された燃焼となる。それ故に、削減された燃料の消費だけでなく、増大されたエンジン出力となり、改善された燃料の燃焼のさらなる結果は、炭素粒子、一酸化炭素及び炭化水素の削減された消費となる。
【００６３】
したがって、以下のことは明らかである。本発明によれば、本発明の次世代の単純化された装置は、狭い環状の通路（３４）を備えている非磁性の円筒形状の、真鍮がメッキされている外部本体（１）であり、当該狭い環状の通路（３４）は、並んで間隔を空けられており（２５、２６、２７、２８）、長軸方向に同一の広がりを持つように、独特に直線状に構成されており、直線状の磁石の本体（１８）を形成している磁石の組立体（図８、図９）の中心の開口を直接的に通じる、水素から構成されている水のような液体の物質及び気体の物質、並びに、炭化水素から構成されている液体の物質及び気体の物質、より詳細には、ガソリン、ガソホール、ディーゼル燃料、灯油、プロパン、天然ガス、油等のような液体の炭化水素燃料及び気体の炭化水素燃料の通路のためのパイプラインに接続されており（当該直線状の磁石の本体（１８）は、直径及び長さによって、非磁性の円筒形状の、真鍮がメッキされている外部本体内に収まるように適合されており（図１）、軸方向に磁化されている１３個のＮ５２級強ネオジム円形リングの座繰り孔の希土類磁石（１９、２２、２５、２７、２９、３０、３１）及び、１２個の非磁性のＰＶＣの薄い円形リングのスペーサ（２０、２３、２６、３２）の組立体（図８、図９）からなる）、軸方向を除いて非常に集中しており、それによって、均一且つ連続的に長軸方向に生成される磁力線及び乱流（３４）を与え、当該乱流（３４）は、磁束及びそれらの分子の円弧における原子の分子励起として、非常に高い強度であり、十分且つ非常に向上された磁気効果の有効性を最大にする。その結果、磁場による周知の強制的配向、すなわち、磁力(１ｃｍ２当たり数百万ダイン）によって作られた多数の分子のひずみを起こすことができる。当該磁力は、水素から構成されている水のような液体の物質及び気体の物質、並びに、炭化水素から構成されている液体の物質及び気体の物質、より詳細には、液体の炭化水素燃料及び気体の炭化水素燃料、例えば、ガソリン、ガソホール、ディーゼル燃料、灯油、プロパン、天然ガス、油等の分子の分解を促進し、上述の分子の物理的ひずみが、結果的に、より容易な、又は、完全な燃焼をもたらす。
【００６４】
実際には、特に液体の炭化水素燃料及び気体の炭化水素燃料は、部分的に螺旋状の乱流運動（３４）（図１０）とともに移動する。これは、環状の磁化チャンバー（３４）に存在している磁場の可変性と組み合わせて、結果的に、分子の配向に非常に速い連続的な変化をもたらし、原子粒子の極めて激しく、頻繁な移動を引き起こす。この点で、流入口の領域（図８、図９、図１０）におけるＮ５２級強ネオジム円形リングの座繰り孔の希土類磁石上にあるＮ極（３１）から始まり、１３個のＮ５２級強ネオジム円形リングの座繰り孔の希土類磁石（１９、２２、２５、２７、２９、３０、３１）及び、１２個の非磁性のＰＶＣの薄い円形リングのスペーサ（２０、２３、２６、３２）の組立体（図８、図９）からなる直線状の磁石の本体（１８、２８）を形成している、中心にある円筒型の長軸方向に同一の広がりを持つ、磁石の組立体内を通過し、流出口の領域におけるＮ５２級強ネオジム円形リングの座繰り孔の希土類磁石上にあるＳ極（３１）と接触している流入口の領域におけるＮ５２級強ネオジム円形リングの座繰り孔の希土類磁石上にあるＳ極から出る。特に、液体の炭化水素燃料及び気体の炭化水素燃料は、磁場（３３）の段階的である完全な極性の反転の影響を受けやすく、この変化は、中心（３４）の円筒型の同軸方向に同じ広がりを持つ磁石の組立体（図８、図９）の環状のチャンバーの内部を通じて流れる分子の渦度と関連するスピン配向における別の非常に高い周波数の変化によって引き立たされている。当該磁石の組立体は、軸方向に磁化されている１３個のＮ５２級強ネオジム円形リングの座繰り孔の希土類磁石（１９、２２、２５、２７、２９、３０、３１）、及び、１２個の非磁性のＰＶＣの薄い円形リングのスペーサ（２０、２３、２６、３２）の組立体からなる直線状の磁石の本体（１８、２８、３３）を形成している。
【００６５】
特に、液体の炭化水素燃料及び気体の炭化水素燃料の磁化は、炭化水素鎖間の結合を破壊し、当該炭化水素鎖は、結果的に低下された密度、表面張力となり、それ故に、内燃機関エンジン内における噴霧又は噴射の間に、より小さい粒子及び水滴となり、それによって、より小さい粒子及び水滴は、増加された蒸発率、特に、液体の炭化水素燃料及び気体の炭化水素燃料と酸化剤との改善された混合、及び、改善された酸化の促進をもたらし、その結果、正味の効果は、燃焼率の増加、出力の増加、削減された汚染物質となる。
【００６６】
より速く、より完全な酸化のような種々の効果をもたらす炭化水素燃料の増長された酸化は、結果的に、燃料のより速く、より完全な燃焼をもたらす。より速く、より効果的な燃焼は、より短い持続時間でも、内燃機関エンジンのピストン上に、より集中され、より力強い駆動力を生み出し、それ故に、同じ量の燃焼された燃料に対して、短時間当たりのエンジンの回転数（ｒｐｍ）を増加するという望ましい効果をもたらす。正味の効果は、増加された出力、及び／又は、所定の出力に対する燃焼消費の対応する減少となる。
【図１−２】
0006530048.tif 000002
【図３】
0006530048.tif 000003
【図４】
0006530048.tif 000004
【図５】
0006530048.tif 000005
【図６】
0006530048.tif 000006
【図７】
0006530048.tif 000007
【図８】
0006530048.tif 000008
【図９】
0006530048.tif 000009
【図１０】
0006530048.tif 000010
【図１１】
0006530048.tif 000011